(57)【要約】【課題】撮影画像を見たときの撮影者の表情を記録することを目的とする。【解決手段】撮影装置であって、被写体画像を撮影するための第１の撮影手段と、撮影者画像を撮影するための第２の撮影手段と、前記被写体画像を表示する表示手段と、前記被写体画像の表示中に、前記第２の撮影手段に対し、撮影を行うよう指示する制御手段とを有する。【選択図】図４
2015122562.tif 000002
【特許請求の範囲】
【請求項１】
被写体画像を撮影するための第１の撮影手段と、
撮影者画像を撮影するための第２の撮影手段と、
前記被写体画像を表示する表示手段と、
前記被写体画像の表示中に、前記第２の撮影手段に対し、撮影を行うよう指示する制御手段と
を有する撮影装置。
【請求項２】
前記制御手段は、前記表示手段が前記被写体画像の表示を開始してから待機時間が経過した後に、前記第２の撮影手段に対し、撮影を開始するよう指示する請求項１に記載の撮影装置。
【請求項３】
前記待機時間の指定を受け付ける第１の受付手段をさらに有し、
前記制御手段は、前記第１の受付手段が受け付けた前記待機時間が経過した後に、前記第２の撮影手段に対し、撮影を開始するよう指示する請求項２に記載の撮影装置。
【請求項４】
前記被写体画像と、前記撮影者画像とを合成する合成手段をさらに有する請求項１乃至３何れか１項に記載の撮影装置。
【請求項５】
前記撮影者画像の撮影を前記被写体画像の表示中に行うか否かの設定を受け付ける第２の受付手段をさらに有し、
前記制御手段は、前記被写体画像の表示中に前記撮影者画像の撮影を行う設定を受け付けた場合に、前記被写体画像の表示中に、前記第２の撮影手段に対し、撮影を開始するよう指示する請求項１乃至４何れか１項に記載の撮影装置。
【請求項６】
前記第１の撮影手段に対し、速度優先の撮影モードの設定を受け付ける第３の受付手段をさらに有し、
前記第２の撮影手段は、速度優先の撮影モードが設定されていない場合に、前記被写体画像の表示中に、前記第２の撮影手段に対し、撮影を開始するよう指示する請求項１乃至５何れか１項に記載の撮影装置。
【請求項７】
前記速度優先の撮影モードは、連写撮影モード、ブラケット撮影モード、スポーツ撮影モード、キッズ撮影モード及びペット撮影モードを含む請求項６に記載の撮影装置。
【請求項８】
第１の撮影手段と、
前記第１の撮影手段による画像の撮影指示を受け付ける指示手段と、
前記第１の撮影手段により撮影した画像を表示する表示手段と、
前記表示手段が設けられている側を撮影するための第２の撮影手段と、
前記指示手段により撮影指示を受け付けたことに応じて前記第１の撮影手段により撮影した画像を前記表示手段に表示し、当該画像の表示中に前記第２の撮影手段により画像を撮影するように制御する制御手段と
を有することを特徴とする撮影装置。
【請求項９】
撮影装置を制御するための撮影制御方法であって、
被写体画像を撮影する第１の撮影ステップと、
撮影者画像を撮影する第２の撮影ステップと、
前記被写体画像を表示する表示ステップと、
前記被写体画像の表示中に、前記撮影者画像の撮影を行うよう指示する制御ステップと
を含む撮影制御方法。
【請求項１０】
コンピュータを、
第１の撮影手段により撮影された被写体画像を取得する取得手段と、
前記被写体画像を表示する表示手段と、
前記被写体画像の表示中に、第２の撮影手段に対し、被写体画像の撮影を行うよう指示する制御手段と
して機能させるためのプログラム。
【請求項１１】
請求項１０に記載のプログラムを記録したコンピュータにより読み取り可能な記録媒体。
【発明の詳細な説明】
【技術分野】
【０００１】
本発明は、撮影装置、撮影制御方法及びプログラムに関する。
【背景技術】
【０００２】
従来、携帯電話やスマートフォンのように、通常カメラ（以下、アウトカメラと称する）に加え、内側に向けられたカメラ（以下、インカメラと称する）を備えた電子機器が知られている。このような電子機器では、アウトカメラで被写体を、インカメラで撮影者の表情を撮影し、被写体を撮影したときの撮影者の表情を残すことができる。
インカメラを備える電子機器は、一度のレリーズ操作で、アウトカメラとインカメラのシャッターを同時に切ることができ、インカメラ及びアウトカメラの撮影画像を関連付けて記録することができる（特許文献１参照）。
【先行技術文献】
【特許文献】
【０００３】
【特許文献１】特開２００５−９４７４１号公報
【発明の概要】
【発明が解決しようとする課題】
【０００４】
しかしながら、従来技術においては、被写体撮影時の撮影者の表情を撮影することはできるものの、実際に撮影画像を見たときの撮影者の表情を残すことができないという問題があった。
【０００５】
本発明はこのような問題点に鑑みなされたもので、撮影画像を見たときの撮影者の表情を記録することを目的とする。
【課題を解決するための手段】
【０００６】
そこで、本発明は、撮影装置であって、被写体画像を撮影するための第１の撮影手段と、撮影者画像を撮影するための第２の撮影手段と、前記被写体画像を表示する表示手段と、前記被写体画像の表示中に、前記第２の撮影手段に対し、撮影を行うよう指示する制御手段とを有する。
【発明の効果】
【０００７】
本発明によれば、撮影画像を見たときの撮影者の表情を記録することができる。
【図面の簡単な説明】
【０００８】
【図１】デジタルカメラの外観図である。
【図２】デジタルカメラを示すブロック図である。
【図３】デジタルカメラの処理を示すフローチャートである。
【図４】撮影モード処理における詳細な処理を示すフローチャートである。
【図５】設定画面の一例を示す図である。
【図６】設定画面の一例を示す図である。
【図７】クイックレビューの表示例を示す図である。
【発明を実施するための形態】
【０００９】
以下、本発明の実施形態について図面に基づいて説明する。
【００１０】
（第１の実施形態）
図１は、撮影装置の一例としてのデジタルカメラ１００の外観図である。図１には、デジタルカメラ１００の裏面側を示している。デジタルカメラ１００は、主に被写体を撮影するアウトカメラ１１０と、撮影者を撮影することのできるインカメラ１２０とを備えている。
アウトカメラ１１０は、デジタルカメラ１００の第１の主面１０１に設けられている。アウトカメラ１１０は、被写体を撮影する。インカメラ１２０は、第１の主面１０１と反対側の第２の主面１０２に設けられている。インカメラ１２０は、アウトカメラ１１０の撮影方向（光軸）と逆の撮影方向において撮影者等の撮影を行うことができる。第２の主面１０２には、表示部１３０が設けられており、インカメラ１２０は、表示部１３０が設けられている側を撮影する。なお、アウトカメラ１１０による撮影を、適宜アウトカメラ撮影と称し、インカメラ１２０による撮影を、適宜インカメラ撮影と称することとする。
【００１１】
表示部１３０は、画像や各種情報を表示する。シャッターボタン１３２は、撮影指示を行うための操作部である。モード切替スイッチ１３３は、デジタルカメラ１００の動作モードを切り替えるための操作部である。電源スイッチ１３５は、電源のＯＮ／ＯＦＦを切り替える。操作部１３６は、ユーザからの各種操作を受け付ける各種スイッチ、ボタン等の操作部材を有している。コントローラホイール１３７は、操作部１３６に含まれる回転操作可能な操作部材である。
１３８は接眼ファインダである。接眼ファインダ１３８は、光学ファインダである。なお、他の例としては、接眼ファインダ１３８は、電子ビューファインダ（ＥＶＦ）であってもよい。コネクタ１３９は、接続ケーブル１４０とデジタルカメラ１００とのコネクタである。記録媒体１４１は、メモリカードやハードディスク等の記録媒体である。記録媒体１４１は、撮影された画像等を記録する。記録媒体スロット１４２は、記録媒体１４１を格納するためのスロットである。記録媒体スロット１４２に格納された記録媒体１４１は、デジタルカメラ１００との通信が可能となる。蓋１４３は記録媒体スロット１４２の蓋である。
【００１２】
図２は、デジタルカメラ１００を示すブロック図である。アウトカメラ１１０は、撮影レンズ１１１と、シャッター１１２と、撮像部１１３とを有している。撮影レンズ１１１は、ズームレンズ、フォーカスレンズを含むレンズ群である。シャッター１１２は、絞り機能を備えるシャッターである。撮像部１１３は、光学像を電気信号に変換するＣＣＤやＣＭＯＳ素子等で構成される撮像素子である。バリア１５０は、撮影レンズ１１１を含む撮像系を覆うことにより、撮影レンズ１１１、シャッター１１２、撮像部１１３を含む撮像系の汚れや破損を防止する。
インカメラ１２０は、アウトカメラ１１０と同様に、撮影レンズ１２１と、シャッター１２２と、撮像部１２３とを有している。撮影レンズ１２１、シャッター１２２及び撮像部１２３は、それぞれ撮影レンズ１１１、シャッター１１２及び撮像部１１３と同様である。
Ａ／Ｄ変換器１５１は、アナログ信号をデジタル信号に変換する。Ａ／Ｄ変換器１５１は、アウトカメラ１１０の撮像部１１３から出力される信号変換だけでなく、同時にインカメラ１２０の撮像部１２３から出力されるアナログ信号をデジタル信号に変換する。
【００１３】
画像処理部１５２は、Ａ／Ｄ変換器１５１から受け取ったデータ、又はメモリ制御部１５３から受け取ったデータに対し、所定の画素補間、縮小といったリサイズ処理や色変換処理を行う。画像処理部１５２はまた、撮影された画像データに対し、所定の演算処理を行う。
演算処理の結果は、システム制御部１５７により利用される。すなわち、システム制御部１５７は、演算結果に基づいて、露光制御や測距制御を行う。システム制御部１５７は、例えば、ＴＴＬ（スルー・ザ・レンズ）方式のＡＦ（オートフォーカス）処理、ＡＥ（自動露出）処理、ＥＦ（フラッシュプリ発光）処理、ＡＷＢ（オートホワイトバランス）処理を行う。
【００１４】
Ａ／Ｄ変換器１５１からの出力データは、画像処理部１５２及びメモリ制御部１５３を介して、或いは、メモリ制御部１５３を介してメモリ１５４に直接書き込まれる。メモリ１５４は、撮像部１１３，１２３によって得られ、Ａ／Ｄ変換器１５１によりデジタルデータに変換された画像データや、表示部１３０に表示するための画像データを格納する。メモリ１５４は、所定枚数の静止画像や所定時間の動画像および音声を格納するのに十分な記憶容量を備えているものとする。また、メモリ１５４は、画像表示用のメモリ（ビデオメモリ）を兼ねている。
Ｄ／Ａ変換器１５５は、メモリ１５４に格納されている画像表示用のデータをアナログ信号に変換して表示部１３０に供給する。こうして、メモリ１５４に書き込まれた表示用の画像データはＤ／Ａ変換器１５５を介して表示部１３０により表示される。
表示部１３０は、ＬＣＤ等の表示器上に、Ｄ／Ａ変換器１５５からのアナログ信号に応じた表示を行う。不揮発性メモリ１５６は、電気的に消去・記録可能なメモリである。不揮発性メモリ１５６として、例えばＥＥＰＲＯＭ等が用いられる。不揮発性メモリ１５６には、システム制御部１５７の動作用の定数、プログラム等が記憶される。ここでいう、プログラムとは、本実施形態にて後述する各種フローチャートを実行するためのプログラムのことである。
【００１５】
システム制御部１５７は、例えばＣＰＵであり、デジタルカメラ１００全体を制御する。システム制御部１５７は、前述した不揮発性メモリ１５６に記録されたプログラムを実行することで、後述する本実施形態の各処理を実現する。システム制御部１５７は、例えばアウトカメラ１１０及びインカメラ１２０の撮影制御を行う。
システム制御部１５７はまた、メモリ１５４、Ｄ／Ａ変換器１５５、表示部１３０等を制御することにより表示制御を行う。より具体的には、システム制御部１５７は、Ａ／Ｄ変換器１５１によって一度Ａ／Ｄ変換されメモリ１５４に蓄積されたデジタル信号をＤ／Ａ変換器１５５においてアナログ変換し、表示部１３０に逐次転送して表示する。これにより、表示部１３０は、電子ビューファインダとして機能し、スルー画像を表示することができる。
システムメモリ１５８には、システム制御部１５７の動作用の定数、変数、不揮発性メモリ１５６から読み出したプログラム等を展開する。システムメモリ１５８には、例えばＲＡＭが用いられる。システムタイマー１５９は、各種制御に用いる時間や、内蔵された時計の時間を計測する計時部である。
【００１６】
モード切替スイッチ１３３、第１シャッタースイッチ１６１、第２シャッタースイッチ１６２、操作部１３６は、システム制御部１５７に各種の動作指示を入力するための操作手段である。モード切替スイッチ１３３は、システム制御部１５７の動作モードを静止画撮影モード、動画撮影モード、再生モードのいずれかに切り替える。静止画撮影モードは、静止画を撮影するモードである。動画撮影モードは、動画を撮影するモードである。
静止画撮影モードはさらに複数のモードを有している。本実施形態においては、静止画撮影モードは、オート撮影モード、オートシーン判別モード、マニュアルモード、各種シーンモード、プログラムＡＥモード、カスタムモード、同時撮影モードを有している。
【００１７】
ここで、各種シーンモードとは、撮影シーン別の撮影設定に応じた撮影を行うモードである。同時撮影モードは、アウトカメラ１１０とインカメラ１２０の両方で同時に撮影を行うモードである。
ユーザは、モード切替スイッチ１３３を操作することにより、静止画撮影モードに含まれる各モードの設定指示を入力することができる。また、他の例としては、ユーザは、モード切替スイッチ１３３により静止画撮影モードに切り替え、さらに他の操作部材を用いて、静止画撮影モードに含まれる各モードを選択することとしてもよい。動画撮影モードも、静止画撮影モードと同様に複数のモードを有している。
【００１８】
第１シャッタースイッチ１６１は、デジタルカメラ１００に設けられたシャッターボタン１３２の操作途中、いわゆる半押し（撮影準備指示）でＯＮとなる。そして、第１シャッタースイッチ１６１は、ＯＮとなった場合に、第１シャッタースイッチ信号ＳＷ１をシステム制御部１５７に入力する。システム制御部１５７は、第１シャッタースイッチ信号ＳＷ１が入力されると、アウトカメラ１１０のＡＦ処理、ＡＥ処理、ＡＷＢ処理、ＥＦ処理等の撮影準備処理を開始する。
第１シャッタースイッチ信号ＳＷ１が入力されたときに、動作モードが同時撮影モードに設定されていたとする。この場合、システム制御部１５７は、アウトカメラ１１０の処理と並行して、インカメラ１２０の撮影準備処理を開始する。
【００１９】
第２シャッタースイッチ１６２は、シャッターボタン１３２の操作完了、いわゆる全押し（撮影指示）でＯＮとなり、第２シャッタースイッチ信号ＳＷ２をシステム制御部１５７に入力する。システム制御部１５７は、第２シャッタースイッチ信号ＳＷ２が入力されると、アウトカメラ１１０による撮影に係る処理を行う。具体的には、システム制御部１５７は、アウトカメラ１１０の撮像部１１３から信号を読み出し、記録媒体１４１に画像データを書き込むまでの一連の撮影処理を開始する。
第２シャッタースイッチ信号ＳＷ２が入力されたときに、動作モードが同時撮影モードに設定されていたとする。この場合、システム制御部１５７は、アウトカメラ１１０による撮影に係る処理と並行して、インカメラ１２０による撮影に係る処理を行う。具体的には、システム制御部１５７は、インカメラ１２０の撮像部１２３から信号を読み出し、記録媒体１４１に画像データを書き込むまでの一連の撮影処理を開始する。
【００２０】
操作部１３６の各操作部材は、表示部１３０に表示される種々の機能アイコンと関連付けられて、場面毎に適宜各種機能が割り当てられ、各種機能ボタンとして作用する。機能ボタンとしては、例えば、終了ボタン、戻るボタン、画像送りボタン、ジャンプボタン、絞込みボタン、属性変更ボタン等がある。
ユーザにより、メニューボタンが押された場合には、表示部１３０は、設定可能なメニュー画面を表示する。ユーザは、表示部１３０に表示されたメニュー画面と、上下左右の４方向ボタンやＳＥＴボタンとを用いて直感的に各種設定を行うことができる。
【００２１】
コントローラホイール１３７は、操作部１３６に含まれる回転操作可能な操作部材であり、方向ボタンと共に、ユーザによる項目の選択を受け付ける。ユーザによる、コントローラホイール１３７の回転操作が行われると、システム制御部１５７には、操作量に応じた電気的なパルス信号が入力される。
システム制御部１５７は、このパルス信号に基づいて、コントローラホイール１３７が回転操作された角度や、何回転したかなどを判定することができる。システム制御部１５７は、このパルス信号に基づいて、デジタルカメラ１００の各部を制御する。
【００２２】
なお、コントローラホイール１３７は、回転操作を検出可能な操作部材であればよく、具体的な構成は実施の形態に限定されるものではない。他の例としては、コントローラホイール１３７は、ユーザの回転操作に応じて回転し、パルス信号を発生するダイヤル操作部材であってもよい。
また他の例としては、コントローラホイール１３７は、いわゆるタッチホイールであってもよい。この場合、コントローラホイール１３７は、回転せず、コントローラホイール１３７上でのユーザの指の回転動作などを検出する。
【００２３】
電源制御部１６４は、電池検出回路、ＤＣ−ＤＣコンバータ、通電するブロックを切り替えるスイッチ回路等を有している。電源制御部１６４は、電池の装着の有無、電池の種類、電池残量の検出を行う。電源制御部１６４はまた、検出結果と、システム制御部１５７の指示とに基づいて、ＤＣ−ＤＣコンバータを制御し、必要な電圧を必要な期間、記録媒体１４１を含む各部へ供給する。
電源部１６５は、アルカリ電池やリチウム電池等の一次電池やＮｉＣｄ電池やＮｉＭＨ電池、Ｌｉ電池等の二次電池、ＡＣアダプター等を有している。記録媒体Ｉ/Ｆ１６６は、記録媒体１４１とのインターフェースである。記録媒体１４１は、撮影された画像を記録するためのメモリカード等であり、半導体メモリや磁気ディスク等から構成される。
【００２４】
図３は、デジタルカメラ１００の起動後の処理を示すフローチャートである。なお、図３に示す処理は、システム制御部１５７が不揮発性メモリ１５６等に格納されているプログラムを読み出し、このプログラムを実行することにより実現されるものである。デジタルカメラ１００が起動すると、図３に示す処理が開始する。Ｓ３０１において、システム制御部１５７は、モード切替スイッチ１３３の位置に応じて、動作モードが撮影モードか否かを判定する。システム制御部１５７は、動作モードが撮影モードであると判定した場合には（Ｓ３０１でＹｅｓ）、Ｓ３０２において、撮影モードにおける処理を行い、その後処理をＳ３０３へ進める。なお、Ｓ３０２における処理については後述する。
Ｓ３０３において、システム制御部１５７は、シャットダウンの指示を受け付けたか否かを確認する。システム制御部１５７は、シャットダウンの指示を受け付けた場合には（Ｓ３０３でＹｅｓ）、処理を終了する。システム制御部１５７は、シャットダウンの指示を受け付けていない場合には（Ｓ３０３でＮｏ）、処理をＳ３０１へ進める。
【００２５】
一方、システム制御部１５７は、Ｓ３０１において動作モードが撮影モードでないと判定した場合には（Ｓ３０１でＮｏ）、Ｓ３０４において、動作モードが再生モードか否かを判定する。システム制御部１５７は、動作モードが再生モードであると判定した場合には（Ｓ３０４でＹｅｓ）、Ｓ３０５において、再生モードにおける処理を行い、その後処理をＳ３０３へ進める。再生モードにおける処理としては、画像閲覧や、拡大表示、画像の消去等が含まれる。
Ｓ３０４において、システム制御部１５７は、動作モードが再生モードでないと判定した場合には（Ｓ３０４でＮｏ）、Ｓ３０６において、その他の処理を行い、その後処理をＳ３０３へ進める。ここで、その他の処理としては、現在時刻を表示する処理等が挙げられる。
【００２６】
図４は、撮影モード処理（Ｓ３０２）における詳細な処理を示すフローチャートである。Ｓ４０１において、システム制御部１５７は、ユーザから、メニュー操作等の撮影設定の変更指示を受け付けたか否かを判定する。システム制御部１５７は、変更指示を受け付けたと判定した場合には（Ｓ４０１でＹｅｓ）、処理をＳ４０２へ進める。Ｓ４０２において、システム制御部１５７は、変更指示に応じた処理を行い、Ｓ３０２の処理を終了する。なお、その後、処理は、Ｓ３０３へ進む。
【００２７】
図５及び図６は、Ｓ４０２において表示される設定画面の一例を示す図である。図５は、インカメラ１２０により撮影を行うタイミングを設定するための設定画面５００を示す図である。ユーザは、設定画面５００において、アウトカメラ１１０による撮影タイミング（第１シャッタースイッチ１６１が押下されたタイミング）において、インカメラ１２０による撮影を行うか否かを設定することができる。さらに、ユーザは、設定画面５００において、クイックレビューの表示タイミングにおいて、インカメラ１２０による撮影を行うか否かを設定することができる。ここで、クイックレビューとは、アウトカメラ１１０による撮影直後に、表示部１３０に表示されるアウトカメラ１１０による被写体画像のことである。
設定画面５００において、ユーザにより、アウト撮影時のインカメラ撮影を「する」が選択されると、システム制御部１５７は、アウトカメラ撮影時にインカメラ撮影を行う設定指示を受け付ける。また、設定画面５００において、ユーザにより、クイックレビュー表示時のインカメラ撮影を「する」が選択されると、システム制御部１５７は、クイックレビュー表示時（表示中）にインカメラ撮影を行う設定指示を受け付ける（第２の受付処理）。
【００２８】
図６は、クイックレビューを表示するか否かを設定するための設定画面６００を示す図である。ユーザは、設定画面６００において、クイックレビューを表示するか否か、また表示する場合には、クイックレビューの表示時間を設定することができる。なお、図６においては、「切」は、クイックレビューを表示しない旨の指示を受け付けるためのボタンである。
設定画面６００において、ユーザにより「切」が選択されると、システム制御部１５７は、クイックレビュー表示を行わない設定指示を受け付ける。また、設定画面６００において、ユーザにより、「２秒」又は「１０秒」が選択されると、システム制御部１５７は、クイックレビュー表示を行う設定指示を受け付ける。システム制御部１５７は、さらに、それぞれ「２秒」又は「１０秒」のクイックレビューの表示時間の指定を受け付ける。
【００２９】
図４に戻り、Ｓ４０１において、システム制御部１５７は、変更指示を受け付けていないと判定した場合には（Ｓ４０１でＮｏ）、処理をＳ４０３へ進める。Ｓ４０３において、システム制御部１５７は、シャッターボタン１３２が押されたか否かを判定する。システム制御部１５７は、シャッターボタン１３２が押下されていないと判定した場合には（Ｓ４０３でＮｏ）、Ｓ３０２の処理を終了する。一方、システム制御部１５７は、シャッターボタン１３２が押下されたと判定した場合には（Ｓ４０３でＹｅｓ）、処理をＳ４０４へ進める。
Ｓ４０４において、システム制御部１５７は、アウトカメラ１１０に対し、撮影を開始するよう指示する。そして、システム制御部１５７は、アウトカメラ１１０により撮影された被写体画像を取得し（取得処理）、これを記録媒体１４１等に記録する。なお、アウトカメラ１１０は、システム制御部１５７からの指示に従い、被写体画像を撮影する（第１の撮影処理）。
【００３０】
次に、Ｓ４０５において、システム制御部１５７は、アウトカメラ１１０に対し、速度優先の撮影モードが設定されているか否かを確認する。ここで、速度優先の撮影モードとは、動作の速い被写体を撮影するモードである。速度優先の撮影モードとしては、連写撮影モード、ブラケット撮影モード、スポーツ撮影モード、キッズ撮影モード、ペット撮影モード、キッズ＆ペット撮影モード等が挙げられる。
Ｓ４０５において、システム制御部１５７は、速度優先の撮影モードが設定されている場合には（Ｓ４０５でＹｅｓ）、Ｓ３０２の処理を終了する。一方、システム制御部１５７は、速度優先の撮影モードが設定されていない場合には（Ｓ４０５でＮｏ）、処理をＳ４０６へ進める。
【００３１】
Ｓ４０６において、システム制御部１５７は、アウトカメラ撮影時にインカメラ撮影を行う設定がなされているか否かを確認する。なお、図５の設定画面５００において、アウトカメラ撮影時のインカメラ撮影を「する」が選択され、システム制御部１５７が、これに対応する設定指示を受け付けている場合に、アウトカメラ撮影時のインカメラ撮影を行う設定であると判断する。システム制御部１５７は、アウトカメラ撮影時にインカメラ撮影を行う設定がなされている場合には（Ｓ４０６でＹｅｓ）、処理をＳ４０７へ進める。システム制御部１５７はまた、アウトカメラ撮影時にインカメラ撮影を行う設定がなされていない場合には（Ｓ４０６でＮｏ）、Ｓ４０８へ進める。
Ｓ４０７において、システム制御部１５７は、インカメラ１２０に対し、撮影を開始するよう指示する。そして、システム制御部１５７は、インカメラ１２０により撮影された撮影者画像を取得し、これを記録媒体１４１等に記録する。なお、インカメラ１２０は、システム制御部１５７からの指示に従い、撮影者を含む撮影者画像を撮影する。
【００３２】
次に、Ｓ４０８において、システム制御部１５７は、クイックレビューを表示する設定がなされているか否かを確認する。なお、図６の設定画面６００において、「２秒」又は「１０秒」が選択され、システム制御部１５７が、これに対応する設定指示を受け付けている場合に、クイックレビュー表示を行う設定であると判断する。また、設定画面６００において、「切」が選択され、システム制御部１５７が、これに対応する設定指示を受け付けている場合に、クイックレビュー表示を行わない設定であると判断する。
システム制御部１５７は、クイックレビューを表示する設定がなされている場合には（Ｓ４０８でＹｅｓ）、処理をＳ４０９へ進める。一方、システム制御部１５７は、クイックレビューを表示しない設定がなされている場合には（Ｓ４０８でＮｏ）、Ｓ３０２の処理を終了する。
【００３３】
Ｓ４０９において、システム制御部１５７は、クイックレビュー表示を行う。具体的には、システム制御部１５７は、Ｓ４０４において得られたアウトカメラ１１０による被写体撮影画像を表示部１３０に表示する（表示処理）。次に、Ｓ４１０において、システム制御部１５７は、クイックレビュー表示の開始から待機時間が経過するまで待機し、待機時間が経過すると処理をＳ４１１へ進める。ここで、待機時間は、例えば５００ミリ秒等であり、不揮発性メモリ１５６等に予め設定されているものとする。なお、待機時間は、ユーザが任意に設定することができる。具体的には、ユーザが操作部１３６等を操作することにより待機時間を設定すると、システム制御部１５７は、待機時間の指定を受け付け（第１の受付処理）、これを不揮発性メモリ１５６等に格納する。
次に、Ｓ４１１において、システム制御部１５７は、クイックレビュー表示時のインカメラ撮影を行う設定がなされているか否かを確認する。なお、図５の設定画面５００において、クイックレビュー表示時のインカメラ撮影を「する」が設定され、システム制御部１５７が、これに対応する設定を受け付けている場合に、クイックレビュー表示時のインカメラ撮影を行う設定であると判断する。
【００３４】
システム制御部１５７は、クイックレビュー表示時のインカメラ撮影を行う設定がなされている場合には（Ｓ４１１でＹｅｓ）、処理をＳ４１２へ進める。システム制御部１５７は、クイックレビュー表示時のインカメラ撮影を行わない設定がなされている場合には（Ｓ４１１でＮｏ）、処理をＳ４１４へ進める。
Ｓ４１２において、システム制御部１５７は、インカメラ１２０に対し、撮影を開始するよう指示する。そして、システム制御部１５７は、インカメラ１２０により撮影された撮影者画像を取得し、これを記録媒体１４１等に記録する。なお、インカメラ１２０は、システム制御部１５７からの指示に従い、撮影者画像を撮影する（第２の撮影処理）。ここで、Ｓ４１２の処理は、待機時間の経過後であって、アウトカメラ１１０の撮影画像の表示中に、インカメラ１２０に対し、画像の撮影を開始するよう指示する制御処理の一例である。
【００３５】
次に、Ｓ４１３において、システム制御部１５７は、Ｓ４０４において得られた被写体画像に、Ｓ４１２において得られた撮影者画像を重畳し、これを表示部１３０に表示する。ここで、Ｓ４１３の処理は、被写体画像と撮影者画像とを合成する合成処理の一例である。
次に、Ｓ４１４において、システム制御部１５７は、クイックレビューの表示時間が経過したか否かを確認する。システム制御部１５７は、表示時間が経過するまで、クイックレビューの表示を継続し、表示時間が経過すると（Ｓ４１４でＹｅｓ）、Ｓ３０２の処理を終了する。
ここで、表示時間は、図６の設定画面６００において設定された値である。「２秒」が選択された場合には、システム制御部１５７は、クイックレビューの表示を２秒間継続した後、Ｓ３０２の処理を終了する。
【００３６】
図７は、クイックレビューの表示例を示す図である。Ｓ４０９の処理直後においては、図７（ａ）に示すように、表示部１３０には、被写体画像のみが表示される。そして、Ｓ４１３の処理の後、図７（ｂ）に示すように、表示部１３０には、被写体画像上に、撮影者画像が重畳表示される。
以上のように、本実施形態にかかるデジタルカメラ１００は、アウトカメラ１１０による被写体画像の表示中に、インカメラ撮影により、撮影者画像を撮影することができる。したがって、被写体画像を見たときの撮影者の表情を記録することができる。すなわち、デジタルカメラ１００は、被写体画像を見たときの撮影者の表情を残すことができる。
【００３７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００３８】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。
プログラムを供給するための記録媒体としては、例えば、ハードディスク、磁気テープ等の磁気記録媒体、光／光磁気記憶媒体、不揮発性の半導体メモリでもよい。また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【符号の説明】
【００３９】
１００  デジタルカメラ、１１０  アウトカメラ、１２０  インカメラ、１３０  表示部、１５７  システム制御部
【図１】
2015122562.tif 000003
【図２】
2015122562.tif 000004
【図３】
2015122562.tif 000005
【図４】
2015122562.tif 000006
【図５】
2015122562.tif 000007
【図６】
2015122562.tif 000008
【図７】
2015122562.tif 000009